(57)【要約】  操作の手間を省いたまま、切り換えられる前のチャンネルで放送されている番組を確実に録画することができるテレビ録画装置、テレビ受像装置、および制御プログラムを提供する。赤外線カメラ１５で検知された情報が新たな表示用チャンネルへの変更の指示の前後でテレビ視聴者の人数に増減があったことを示す情報であった場合に、その新たな表示用チャンネルへの変更の指示が、その指示を受ける前のテレビ視聴者とは異なる新たなテレビ視聴者により行なわれた指示であると制御部１４で判定し、その新たな表示用チャンネルのテレビ信号を表示信号出力部１２からテレビモニタ装置１００に出力させるとともに、その新たな表示用チャンネルへの変更の指示を受ける前の表示用チャンネルのテレビ信号をハードディスク装置１３に記録させる。
2008072353.tif 000002
【特許請求の範囲】
【請求項１】
テレビ信号を受信する受信部と、
前記受信部で受信したテレビ信号のうちの表示用チャンネルのテレビ信号を、テレビ画面を備えたテレビモニタ装置に向けて出力する表示信号出力部と、
前記受信部で受信したテレビ信号のうちの録画用チャンネルのテレビ信号を記録する録画部と、
表示用チャンネルの指示を受けて、前記表示信号出力部に、指示を受けた表示用チャンネルのテレビ信号を出力させるとともに、録画用チャンネルの指示を受けて、前記録画部に、指示を受けた録画用チャンネルのテレビ信号を記録させる制御部とを備え、
前記制御部が、前記表示信号出力部から表示用チャンネルのテレビ信号が出力されている途中における、新たな表示用チャンネルへの変更の指示を受けて、該新たな表示用チャンネルへの変更の指示が該指示を受ける前のテレビ視聴者とは異なる新たなテレビ視聴者により行なわれた指示であったか否かを判定し、該新たな表示用チャンネルへの変更の指示が該指示を受ける前のテレビ視聴者とは異なる新たなテレビ視聴者により行なわれた指示であったと判定した場合に、前記表示信号出力部に、該新たな表示用チャンネルのテレビ信号を出力させるとともに、前記録画部に、該新たな表示用チャンネルへの変更の指示を受ける前の表示用チャンネルのテレビ信号を記録させるものであることを特徴とするテレビ録画装置。
【請求項２】
テレビ視聴者の人数に相関のある情報を検知する検知部を備え、
前記制御部は、前記検知部で検知された情報が新たな表示用チャンネルへの変更の指示の前後でテレビ視聴者の人数に増減があったことを示す情報であった場合に、該新たな表示用チャンネルへの変更の指示が、該指示を受ける前のテレビ視聴者とは異なる新たなテレビ視聴者により行なわれた指示であると判定するものであることを特徴とする請求項１記載のテレビ録画装置。
【請求項３】
前記検知部が、テレビ視聴者の人数に相関のある情報を検知する赤外線センサを備えたものであることを特徴とする請求項２記載のテレビ録画装置。
【請求項４】
個人認証情報の入力操作を受ける認証部を備え、
前記制御部は、新たな表示用チャンネルへの変更の指示が前記認証部で該指示を受ける前に認証された個人とは異なる個人による指示であった場合に、該新たな表示用チャンネルへの変更の指示が、該指示を受ける前のテレビ視聴者とは異なる新たなテレビ視聴者により行なわれた指示であると判定するものであることを特徴とする請求項１記載のテレビ録画装置。
【請求項５】
当該テレビ録画装置に対しテレビ視聴者の指示を入力するリモートコントローラを備え、前記認証部が前記リモートコントローラに備えられたものであることを特徴とする請求項４記載のテレビ録画装置。
【請求項６】
前記認証部は、個人認証情報を入力する指紋センサを備えたものであることを特徴とする請求項４又は５記載のテレビ録画装置。
【請求項７】
前記制御部は、前記認証部による個人認証情報の入力を受けた後の所定時間内のみ、表示用チャンネルの指示入力を受け付けるものであることを特徴とする請求項４又は５記載のテレビ録画装置。
【請求項８】
テレビ信号を受信する受信部と、
前記受信部で受信したテレビ信号のうちの表示用チャンネルのテレビ信号に基づく画像を出力するテレビモニタと、
テレビ信号を記録する録画装置に向けて、前記受信部で受信したテレビ信号のうちの録画用チャンネルのテレビ信号を出力する録画信号出力部と、
表示用チャンネルの指示を受けて、前記テレビモニタに、指示を受けた表示用チャンネルのテレビ信号に基づく画像を出力させるとともに、録画用チャンネルの指示を受けて、前記録画信号出力部に、指示を受けた録画用チャンネルのテレビ信号を出力させる制御部とを備え、
前記制御部が、前記テレビモニタから表示用チャンネルのテレビ信号に基づく画像が出力されている途中における、新たな表示用チャンネルへの変更の指示を受けて、該新たな表示用チャンネルへの変更の指示が該指示を受ける前のテレビ視聴者とは異なる新たなテレビ視聴者により行なわれた指示であったか否かを判定し、該新たな表示用チャンネルへの変更の指示が該指示を受ける前のテレビ視聴者とは異なる新たなテレビ視聴者により行なわれた指示であったと判定した場合に、前記テレビモニタに、該新たな表示用チャンネルのテレビ信号に基づく画像を出力させるとともに、前記録画信号出力部に、該新たな表示用チャンネルへの変更の指示を受ける前の表示用チャンネルのテレビ信号を出力させるものであることを特徴とするテレビ受像装置。
【請求項９】
テレビ視聴者の人数に相関のある情報を検知する検知部を備え、
前記制御部は、前記検知部で検知された情報が新たな表示用チャンネルへの変更の指示の前後でテレビ視聴者の人数に増減があったことを示す情報であった場合に、該新たな表示用チャンネルへの変更の指示が、該指示を受ける前のテレビ視聴者とは異なる新たなテレビ視聴者により行なわれた指示であると判定するものであることを特徴とする請求項８記載のテレビ受像装置。
【請求項１０】
個人認証情報の入力操作を受ける認証部を備え、
前記制御部は、新たな表示用チャンネルの指示が前記認証部で該指示を受ける前に認証された個人とは異なる個人による指示であった場合に、該新たな表示用チャンネルへの変更の指示が、該指示を受ける前のテレビ視聴者とは異なる新たなテレビ視聴者により行なわれた指示であると判定するものであることを特徴とする請求項８記載のテレビ受像装置。
【請求項１１】
テレビ信号を受信する受信部と、前記受信部で受信したテレビ信号のうちの表示用チャンネルのテレビ信号を、テレビ画面を備えたテレビモニタ装置に向けて出力する表示信号出力部と、前記受信部で受信したテレビ信号のうちの録画用チャンネルのテレビ信号を記録する録画部とを備えたテレビ録画装置内で実行され、該テレビ録画装置を、表示用チャンネルの指示を受けて、前記表示信号出力部に、指示を受けた表示用チャンネルのテレビ信号を出力させるとともに、録画用チャンネルの指示を受けて、前記録画部に、指示を受けた録画用チャンネルのテレビ信号を記録させるテレビ録画装置として動作させる制御プログラムであって、
前記テレビ録画装置を、前記表示信号出力部から表示用チャンネルのテレビ信号が出力されている途中における、新たな表示用チャンネルへの変更の指示を受けて、該新たな表示用チャンネルへの変更の指示が該指示を受ける前のテレビ視聴者とは異なる新たなテレビ視聴者により行なわれた指示であったか否かを判定し、該新たな表示用チャンネルへの変更の指示が該指示を受ける前のテレビ視聴者とは異なる新たなテレビ視聴者により行なわれた指示であったと判定した場合に、前記表示信号出力部に、該新たな表示用チャンネルのテレビ信号を出力させるとともに、前記録画部に、該新たな表示用チャンネルへの変更の指示を受ける前の表示用チャンネルのテレビ信号を記録させるテレビ録画装置として動作させることを特徴とする制御プログラム。
【請求項１２】
前記テレビ録画装置が、テレビ視聴者の人数に相関のある情報を検知する検知部を備え、
前記制御プログラムが、前記テレビ録画装置に、前記検知部で検知された情報が新たな表示用チャンネルへの変更の指示の前後でテレビ視聴者の人数に増減があったことを示す情報であった場合に、該新たな表示用チャンネルへの変更の指示が、該指示を受ける前のテレビ視聴者とは異なる新たなテレビ視聴者により行なわれた指示であると判定させるものであることを特徴とする請求項１１記載の制御プログラム。
【請求項１３】
前記テレビ録画装置が、個人認証情報の入力操作を受ける認証部を備え、
前記制御プログラムが、前記テレビ録画装置に、新たな表示用チャンネルへの変更の指示が前記認証部で該指示を受ける前に認証された個人とは異なる個人による指示であった場合に、該新たな表示用チャンネルへの変更の指示が、該指示を受ける前のテレビ視聴者とは異なる新たなテレビ視聴者により行なわれた指示であると判定させるものであることを特徴とする請求項１１記載の制御プログラム。
【請求項１４】
前記制御プログラムは、前記テレビ録画装置に、前記認証部による個人認証情報の入力を受けた後の所定時間内のみ、表示用チャンネルの指示入力を受け付けさせるものであることを特徴とする請求項１１記載の制御プログラム。
【請求項１５】
テレビ信号を受信する受信部と、前記受信部で受信したテレビ信号のうちの表示用チャンネルのテレビ信号に基づく画像を出力するテレビモニタと、テレビ信号を記録する録画装置に向けて、前記受信部で受信したテレビ信号のうちの録画用チャンネルのテレビ信号を出力する録画信号出力部とを備えたテレビ受像装置内で実行され、該テレビ受像装置を、表示用チャンネルの指示を受けて、前記テレビモニタに、指示を受けた表示用チャンネルのテレビ信号に基づく画像を出力させるとともに、録画用チャンネルの指示を受けて、前記録画信号出力部に、指示を受けた録画用チャンネルのテレビ信号を出力させるテレビ受像装置として動作させる制御プログラムであって、
前記テレビ受像装置を、前記テレビモニタから表示用チャンネルのテレビ信号に基づく画像が出力されている途中における、新たな表示用チャンネルへの変更の指示を受けて、該新たな表示用チャンネルへの変更の指示が該指示を受ける前のテレビ視聴者とは異なる新たなテレビ視聴者により行なわれた指示であったか否かを判定し、該新たな表示用チャンネルへの変更の指示が該指示を受ける前のテレビ視聴者とは異なる新たなテレビ視聴者により行なわれた指示であったと判定した場合に、前記テレビモニタに、該新たな表示用チャンネルのテレビ信号に基づく画像を出力させるとともに、前記録画信号出力部に、該新たな表示用チャンネルへの変更の指示を受ける前の表示用チャンネルのテレビ信号を出力させるテレビ受像装置として動作させることを特徴とする制御プログラム。
【請求項１６】
前記テレビ受像装置が、テレビ視聴者の人数に相関のある情報を検知する検知部を備え、
前記制御プログラムが、前記テレビ受像装置に、前記検知部で検知された情報が新たな表示用チャンネルへの変更の指示の前後でテレビ視聴者の人数に増減があったことを示す情報であった場合に、該新たな表示用チャンネルへの変更の指示が、該指示を受ける前のテレビ視聴者とは異なる新たなテレビ視聴者により行なわれた指示であると判定させるものであることを特徴とする請求項１６記載の制御プログラム。
【請求項１７】
前記テレビ受像装置が、個人認証情報の入力操作を受ける認証部を備え、
前記制御プログラムが、前記テレビ受像装置に、新たな表示用チャンネルの指示が前記認証部で該指示を受ける前に認証された個人とは異なる個人による指示であった場合に、該新たな表示用チャンネルへの変更の指示が、該指示を受ける前のテレビ視聴者とは異なる新たなテレビ視聴者により行なわれた指示であると判定させるものであることを特徴とする請求項１６記載の制御プログラム。
【発明の詳細な説明】
【技術分野】
【０００１】
本発明は、テレビ信号を記録するテレビ録画装置、録画装置に向けてテレビ信号を出力するテレビ受像装置、およびテレビ録画装置，テレビ受像装置として動作させる制御プログラムに関する。
【背景技術】
【０００２】
従来より、テレビ信号を記録するハードディスク装置を備えたテレビ録画装置や、録画装置に向けてテレビ信号を出力するテレビ受像装置が知られている。【０００３】
テレビ録画装置においては、そのテレビ録画装置にテレビ受像装置を接続しておき、そのテレビ録画装置で受信したテレビ信号のうちの表示用チャンネルのテレビ信号を、テレビ受像装置に向けて出力するとともに、テレビ信号のうちの録画用チャンネルのテレビ信号を、テレビ録画装置に備えられたハードディスク装置に記録することが行なわれる。【０００４】
また、テレビ受像装置においては、そのテレビ受像装置に録画装置を接続しておき、そのテレビ受像装置で受信したテレビ信号のうちの表示用チャンネルのテレビ信号に基づく画像を、そのテレビ受像装置に備えられたテレビモニタに出力するとともに、テレビ信号のうちの録画用チャンネルのテレビ信号を録画装置に向けて出力するということが行なわれる。【０００５】
これらのテレビ録画装置およびテレビ受像装置では、視聴者がテレビ番組を視聴するにあたり、視聴者の都合に合せて様々な制御を行なうことができる。例えば、視聴者がチャンネルＡで放送されている番組の視聴を一時的に中止し、チャンネルＢで放送されている番組を視聴する場合、チャンネルＢで放送されている番組を視聴している間に視聴することができないチャンネルＡの番組を、ハードディスク装置に記録（録画と称する）するという制御を行なうことができる。しかし、この場合、視聴者は、チャンネルＡで放送されている番組を録画する旨を指示する操作が必要である。このため、操作に手間がかかるという問題がある。【０００６】
そこで、視聴者が視聴する視聴チャンネルが、チャンネルＡからチャンネルＢに切り換えられると、チャンネルＡで放送されている番組のテレビ信号をハードディスク装置に記録し、チャンネルＢからチャンネルＡに視聴チャンネルが切り換えられると、その記録されたテレビ信号をハードディスク装置から読み出して再生する技術が提案されている（例えば、特許文献１参照）。この技術によれば、チャンネルＡからチャンネルＢへの切換えにあたり、視聴者が自ら、チャンネルＡで放送されている番組を録画する旨を指示する操作は不要である。従って、操作の手間を省くことができる。【０００７】
【特許文献１】特開２００２−１５２６５２号公報
【０００８】
ここで、例えば父親がリビングルームで野球中継番組を視聴しているときに、そのリビングルームに子供が入ってきてドラマを視聴するためにチャンネルを変更してしまう場合がある。すると、父親は野球中継番組を途中から視聴することができなくなってしまうという問題が発生する。この問題を解決するために、上述した特許文献１に提案された技術を採用すると、以下の問題がある。【０００９】
上述した特許文献１に提案された技術では、視聴者は、視聴チャンネルをチャンネルＡからチャンネルＢに切り換えるにあたり、チャンネルＡで放送されている番組を録画する旨を指示する操作をその時点で行なう必要はないものの、チャンネルＡで放送されている番組が録画されるようにそのチャンネルＡを予め設定しておく操作、もしくはチャンネルＡで放送されている番組が所定時間以上視聴し続けられているという条件が必要である。このため、野球中継番組が行なわれているチャンネルが視聴者により予め設定されていない場合や、野球中継番組が始まった直後にチャンネルが切り換えられた場合には、その野球中継番組を録画することはできず、従って視聴チャンネルが切り換えられた場合、切り換えられる前のチャンネルで放送されている番組を録画する点に欠けるという問題がある。【００１０】
本発明は、上記事情に鑑み、操作の手間を省いたまま、切り換えられる前のチャンネルで放送されている番組を確実に録画することができるテレビ録画装置、テレビ受像装置、および制御プログラムを提供することを目的とする。
【発明の開示】
【００１１】
上記目的を達成する本発明のテレビ録画装置は、
テレビ信号を受信する受信部と、
上記受信部で受信したテレビ信号のうちの表示用チャンネルのテレビ信号を、テレビ画面を備えたテレビモニタ装置に向けて出力する表示信号出力部と、
上記受信部で受信したテレビ信号のうちの録画用チャンネルのテレビ信号を記録する録画部と、
表示用チャンネルの指示を受けて、上記表示信号出力部に、指示を受けた表示用チャンネルのテレビ信号を出力させるとともに、録画用チャンネルの指示を受けて、上記録画部に、指示を受けた録画用チャンネルのテレビ信号を記録させる制御部とを備え、
上記制御部が、上記表示信号出力部から表示用チャンネルのテレビ信号が出力されている途中における、新たな表示用チャンネルへの変更の指示を受けて、その新たな表示用チャンネルへの変更の指示がその指示を受ける前のテレビ視聴者とは異なる新たなテレビ視聴者により行なわれた指示であったか否かを判定し、その新たな表示用チャンネルへの変更の指示がその指示を受ける前のテレビ視聴者とは異なる新たなテレビ視聴者により行なわれた指示であったと判定した場合に、上記表示信号出力部に、その新たな表示用チャンネルのテレビ信号を出力させるとともに、上記録画部に、その新たな表示用チャンネルへの変更の指示を受ける前の表示用チャンネルのテレビ信号を記録させるものであることを特徴とする。
【００１２】
本発明のテレビ録画装置は、新たな表示用チャンネルへの変更の指示が、その指示を受ける前のテレビ視聴者とは異なる新たなテレビ視聴者により行なわれた指示であったと判定した場合に、その新たな表示用チャンネルのテレビ信号を出力させるとともに、その新たな表示用チャンネルへの変更の指示を受ける前の表示用チャンネルのテレビ信号を録画部に記録させるものである。このため、視聴チャンネルが、例えばチャンネルＡからチャンネルＢに切り換えられた場合、そのチャンネルＡで放送されている番組が録画されるようにそのチャンネルＡを予め設定しておく操作や、そのチャンネルＡで放送されている番組を所定時間以上視聴し続ける必要はなく、視聴チャンネルがチャンネルＢに切り換えられていることをもって、チャンネルＡで放送されている番組を録画することができる。従って、操作の手間を省いたまま、切り換えられる前のチャンネルで放送されていた番組を確実に録画することができる。
【００１３】
ここで、本発明のテレビ録画装置において、テレビ視聴者の人数に相関のある情報を検知する検知部を備え、
上記制御部は、上記検知部で検知された情報が新たな表示用チャンネルへの変更の指示の前後でテレビ視聴者の人数に増減があったことを示す情報であった場合に、その新たな表示用チャンネルへの変更の指示が、その指示を受ける前のテレビ視聴者とは異なる新たなテレビ視聴者により行なわれた指示であると判定するものであることが好ましい。
【００１４】
このようにすると、例えば、父親がリビングルームで野球中継番組を視聴しているときに、そのリビングルームに子供が入ってきてドラマを視聴するために表示チャンネルを変更した場合、テレビ視聴者の人数に増加があった旨が検知され、これにより新たな表示用チャンネルへの変更の指示が、その指示を受ける前のテレビ視聴者（ここでは父親）とは異なる新たなテレビ視聴者（ここでは子供）により行なわれた指示であると判定される。従って、特別な操作を行なうこともなく、父親が視聴していた野球中継番組を録画することができる。
【００１５】
また、本発明のテレビ録画装置における上記検知部が、テレビ視聴者の人数に相関のある情報を検知する赤外線センサを備えたものであることも好ましい態様である。
【００１６】
赤外線センサを用いると、テレビ視聴者の人数に相関のある情報（例えば赤外線の強度、赤外線を発している領域の面積など）を簡単に検知することができる。
【００１７】
さらに、本発明のテレビ録画装置において、個人認証情報の入力操作を受ける認証部を備え、
上記制御部は、新たな表示用チャンネルへの変更の指示が上記認証部でその指示を受ける前に認証された個人とは異なる個人による指示であった場合に、その新たな表示用チャンネルへの変更の指示が、その指示を受ける前のテレビ視聴者とは異なる新たなテレビ視聴者により行なわれた指示であると判定するものであることも好ましい。
【００１８】
このようにすると、新たな表示用チャンネルへの変更の指示が、その指示を受ける前のテレビ視聴者とは異なる新たなテレビ視聴者により行なわれた指示である旨の判定を精度よく行なうことができる。
【００１９】
また、当該テレビ録画装置に対しテレビ視聴者の指示を入力するリモートコントローラを備え、上記認証部が上記リモートコントローラに備えられたものであることも好ましい態様である。
【００２０】
このようにすると、視聴チャンネルの切換えを行なうためのリモートコントローラで、個人認証情報の入力操作を行なうことができるため、操作性を高めることができる。
【００２１】
さらに、本発明のテレビ録画装置における上記認証部は、個人認証情報を入力する指紋センサを備えたものであることも好ましい。
【００２２】
このようにすると、個人認証情報を確実に入力することができる。
【００２３】
また、本発明のテレビ録画装置における上記制御部は、上記認証部による個人認証情報の入力を受けた後の所定時間内のみ、表示用チャンネルの指示入力を受け付けるものであることも好ましい。
【００２４】
このようにすると、所定時間経過後は、個人認証情報の入力を行なわないと表示用チャンネルの指示入力の受け付けが行なわれないようになっているため、即ち、所定時間経過後は個人認証情報の入力が確実に行なわれるため、当該テレビ録画装置においても、表示用チャンネルの指示入力の受け付けを行なったテレビ視聴者を確実に知ることができる。従って、表示用チャンネルの指示入力の受け付けが行なわれた場合、番組の録画を行なうか否かを正確に判定することができる。
【００２５】
また、上記目的を達成する本発明のテレビ受像装置は、
テレビ信号を受信する受信部と、
上記受信部で受信したテレビ信号のうちの表示用チャンネルのテレビ信号に基づく画像を出力するテレビモニタと、
テレビ信号を記録する録画装置に向けて、上記受信部で受信したテレビ信号のうちの録画用チャンネルのテレビ信号を出力する録画信号出力部と、
表示用チャンネルの指示を受けて、上記テレビモニタに、指示を受けた表示用チャンネルのテレビ信号に基づく画像を出力させるとともに、録画用チャンネルの指示を受けて、上記録画信号出力部に、指示を受けた録画用チャンネルのテレビ信号を出力させる制御部とを備え、
上記制御部が、上記テレビモニタから表示用チャンネルのテレビ信号に基づく画像が出力されている途中における、新たな表示用チャンネルへの変更の指示を受けて、その新たな表示用チャンネルへの変更の指示がその指示を受ける前のテレビ視聴者とは異なる新たなテレビ視聴者により行なわれた指示であったか否かを判定し、その新たな表示用チャンネルへの変更の指示がその指示を受ける前のテレビ視聴者とは異なる新たなテレビ視聴者により行なわれた指示であったと判定した場合に、上記テレビモニタに、その新たな表示用チャンネルのテレビ信号に基づく画像を出力させるとともに、上記録画信号出力部に、その新たな表示用チャンネルへの変更の指示を受ける前の表示用チャンネルのテレビ信号を出力させるものであることを特徴とする。
【００２６】
本発明のテレビ受像装置は、新たな表示用チャンネルへの変更の指示が、その指示を受ける前のテレビ視聴者とは異なる新たなテレビ視聴者により行なわれた指示であったと判定した場合に、テレビモニタに、その新たな表示用チャンネルのテレビ信号に基づく画像を出力させるとともに、その新たな表示用チャンネルへの変更の指示を受ける前の表示用チャンネルのテレビ信号を録画信号出力部に出力させるものである。このため、視聴チャンネルが、例えばチャンネルＡからチャンネルＢに切り換えられた場合、そのチャンネルＡで放送されている番組が録画がされるようにそのチャンネルＡを予め設定しておく操作や、チャンネルＡで放送されている番組を所定時間以上視聴し続ける必要はなく、視聴チャンネルがチャンネルＢに切り換えられていることをもって、チャンネルＡで放送されている番組を録画装置に録画することができる。従って、操作の手間を省いたまま、切り換えられる前のチャンネルで放送されている番組を確実に録画することができる。
【００２７】
ここで、本発明のテレビ受像装置において、テレビ視聴者の人数に相関のある情報を検知する検知部を備え、
上記制御部は、上記検知部で検知された情報が新たな表示用チャンネルへの変更の指示の前後でテレビ視聴者の人数に増減があったことを示す情報であった場合に、その新たな表示用チャンネルへの変更の指示が、その指示を受ける前のテレビ視聴者とは異なる新たなテレビ視聴者により行なわれた指示であると判定するものであることが好ましい。
【００２８】
このようにすると、例えば父親がリビングルームで野球中継番組を視聴しているときに、そのリビングルームに子供が入ってきてドラマを視聴するために表示チャンネルを変更した場合、テレビ視聴者の人数に増加があった旨が検知され、これにより新たな表示用チャンネルへの変更の指示が、その指示を受ける前のテレビ視聴者とは異なる新たなテレビ視聴者により行なわれた指示であると判定される。従って、特別な操作を行なうこともなく、父親が視聴していた野球中継番組を録画することができる。
【００２９】
また、本発明のテレビ受像装置において、個人認証情報の入力操作を受ける認証部を備え、
上記制御部は、新たな表示用チャンネルの指示が上記認証部でその指示を受ける前に認証された個人とは異なる個人による指示であった場合に、その新たな表示用チャンネルへの変更の指示が、その指示を受ける前のテレビ視聴者とは異なる新たなテレビ視聴者により行なわれた指示であると判定するものであることも好ましい態様である。
【００３０】
このようにすると、新たな表示用チャンネルへの変更の指示が、その指示を受ける前のテレビ視聴者とは異なる新たなテレビ視聴者により行なわれた指示である旨の判定を精度よく行なうことができる。
【００３１】
また、上記目的を達成する本発明の制御プログラムのうちの第１の制御プログラムは、テレビ信号を受信する受信部と、上記受信部で受信したテレビ信号のうちの表示用チャンネルのテレビ信号を、テレビ画面を備えたテレビモニタ装置に向けて出力する表示信号出力部と、上記受信部で受信したテレビ信号のうちの録画用チャンネルのテレビ信号を記録する録画部とを備えたテレビ録画装置内で実行され、そのテレビ録画装置を、表示用チャンネルの指示を受けて、上記表示信号出力部に、指示を受けた表示用チャンネルのテレビ信号を出力させるとともに、録画用チャンネルの指示を受けて、上記録画部に、指示を受けた録画用チャンネルのテレビ信号を記録させるテレビ録画装置として動作させる制御プログラムであって、
上記テレビ録画装置を、上記表示信号出力部から表示用チャンネルのテレビ信号が出力されている途中における、新たな表示用チャンネルへの変更の指示を受けて、その新たな表示用チャンネルへの変更の指示が該指示を受ける前のテレビ視聴者とは異なる新たなテレビ視聴者により行なわれた指示であったか否かを判定し、その新たな表示用チャンネルへの変更の指示が該指示を受ける前のテレビ視聴者とは異なる新たなテレビ視聴者により行なわれた指示であったと判定した場合に、上記表示信号出力部に、その新たな表示用チャンネルのテレビ信号を出力させるとともに、上記録画部に、その新たな表示用チャンネルへの変更の指示を受ける前の表示用チャンネルのテレビ信号を記録させるテレビ録画装置として動作させることを特徴とする。
【００３２】
本発明の第１の制御プログラムは、本発明のテレビ録画装置として動作させるものであるため、操作の手間を省いたまま、切り換えられる前のチャンネルで放送されていた番組を確実に録画することができる。
【００３３】
ここで、上記テレビ録画装置が、テレビ視聴者の人数に相関のある情報を検知する検知部を備え、
上記制御プログラムが、上記テレビ録画装置に、上記検知部で検知された情報が新たな表示用チャンネルへの変更の指示の前後でテレビ視聴者の人数に増減があったことを示す情報であった場合に、その新たな表示用チャンネルへの変更の指示が、その指示を受ける前のテレビ視聴者とは異なる新たなテレビ視聴者により行なわれた指示であると判定させるものであることが好ましい。
【００３４】
このようにすると、例えば、父親がリビングルームで野球中継番組を視聴しているときに、そのリビングルームに子供が入ってきてドラマを視聴するために表示チャンネルを変更した場合、テレビ視聴者の人数に増加があった旨が検知され、これにより新たな表示用チャンネルへの変更の指示が、その指示を受ける前のテレビ視聴者（ここでは父親）とは異なる新たなテレビ視聴者（ここでは子供）により行なわれた指示であると判定される。従って、特別な操作を行なうこともなく、父親が視聴していた野球中継番組を録画することができる。
【００３５】
また、上記テレビ録画装置が、個人認証情報の入力操作を受ける認証部を備え、
上記制御プログラムが、上記テレビ録画装置に、新たな表示用チャンネルへの変更の指示が上記認証部でその指示を受ける前に認証された個人とは異なる個人による指示であった場合に、その新たな表示用チャンネルへの変更の指示が、その指示を受ける前のテレビ視聴者とは異なる新たなテレビ視聴者により行なわれた指示であると判定させるものであることも好ましい態様である。
【００３６】
このようにすると、新たな表示用チャンネルへの変更の指示が、その指示を受ける前のテレビ視聴者とは異なる新たなテレビ視聴者により行なわれた指示である旨の判定を精度よく行なうことができる。
【００３７】
さらに、上記制御プログラムは、上記テレビ録画装置に、上記認証部による個人認証情報の入力を受けた後の所定時間内のみ、表示用チャンネルの指示入力を受け付けさせるものであることも好ましい。
【００３８】
このようにすると、所定時間経過後は、個人認証情報の入力を行なわないと表示用チャンネルの指示入力の受け付けが行なわれないようになっているため、即ち、所定時間経過後は個人認証情報の入力が確実に行なわれるため、テレビ録画装置においても、表示用チャンネルの指示入力の受け付けを行なったテレビ視聴者を確実に知ることができる。従って、表示用チャンネルの指示入力の受け付けが行なわれた場合、番組の録画を行なうか否かを正確に判定することができる。
【００３９】
また、上記目的を達成する本発明の制御プログラムのうちの第２の制御プログラムは、テレビ信号を受信する受信部と、上記受信部で受信したテレビ信号のうちの表示用チャンネルのテレビ信号に基づく画像を出力するテレビモニタと、テレビ信号を記録する録画装置に向けて、上記受信部で受信したテレビ信号のうちの録画用チャンネルのテレビ信号を出力する録画信号出力部とを備えたテレビ受像装置内で実行され、そのテレビ受像装置を、表示用チャンネルの指示を受けて、上記テレビモニタに、指示を受けた表示用チャンネルのテレビ信号に基づく画像を出力させるとともに、録画用チャンネルの指示を受けて、上記録画信号出力部に、指示を受けた録画用チャンネルのテレビ信号を出力させるテレビ受像装置として動作させる制御プログラムであって、
上記テレビ受像装置を、上記テレビモニタから表示用チャンネルのテレビ信号に基づく画像が出力されている途中における、新たな表示用チャンネルへの変更の指示を受けて、その新たな表示用チャンネルへの変更の指示がその指示を受ける前のテレビ視聴者とは異なる新たなテレビ視聴者により行なわれた指示であったか否かを判定し、その新たな表示用チャンネルへの変更の指示がその指示を受ける前のテレビ視聴者とは異なる新たなテレビ視聴者により行なわれた指示であったと判定した場合に、上記テレビモニタに、その新たな表示用チャンネルのテレビ信号に基づく画像を出力させるとともに、上記録画信号出力部に、その新たな表示用チャンネルへの変更の指示を受ける前の表示用チャンネルのテレビ信号を出力させるテレビ受像装置として動作させることを特徴とする。
【００４０】
本発明の第２の制御プログラムは、本発明のテレビ受像装置として動作させるものであるため、操作の手間を省いたまま、切り換えられる前のチャンネルで放送されている番組を確実に録画することができる。
【００４１】
ここで、上記テレビ受像装置が、テレビ視聴者の人数に相関のある情報を検知する検知部を備え、
上記制御プログラムが、上記テレビ受像装置に、上記検知部で検知された情報が新たな表示用チャンネルへの変更の指示の前後でテレビ視聴者の人数に増減があったことを示す情報であった場合に、その新たな表示用チャンネルへの変更の指示が、その指示を受ける前のテレビ視聴者とは異なる新たなテレビ視聴者により行なわれた指示であると判定させるものであることが好ましい。
【００４２】
このようにすると、例えば父親がリビングルームで野球中継番組を視聴しているときに、そのリビングルームに子供が入ってきてドラマを視聴するために表示チャンネルを変更した場合、テレビ視聴者の人数に増加があった旨が検知され、これにより新たな表示用チャンネルへの変更の指示が、その指示を受ける前のテレビ視聴者とは異なる新たなテレビ視聴者により行なわれた指示であると判定される。従って、特別な操作を行なうこともなく、父親が視聴していた野球中継番組を録画することができる。
【００４３】
また、上記テレビ受像装置が、個人認証情報の入力操作を受ける認証部を備え、
上記制御プログラムが、上記テレビ受像装置に、新たな表示用チャンネルの指示が上記認証部でその指示を受ける前に認証された個人とは異なる個人による指示であった場合に、その新たな表示用チャンネルへの変更の指示が、その指示を受ける前のテレビ視聴者とは異なる新たなテレビ視聴者により行なわれた指示であると判定させるものであることも好ましい態様である。
【００４４】
このようにすると、新たな表示用チャンネルへの変更の指示が、その指示を受ける前のテレビ視聴者とは異なる新たなテレビ視聴者により行なわれた指示である旨の判定を精度よく行なうことができる。
【００４５】
本発明によれば、操作の手間を省いたまま、切り換えられる前のチャンネルで放送されている番組を確実に録画することができるテレビ録画装置、テレビ受像装置、および制御プログラムを提供することができる。
【図面の簡単な説明】
【００４６】
【図１】本発明のテレビ録画装置の第１実施形態の構成を示す図である。
【図２】図１に示すテレビ録画装置のブロック図である。
【図３】図１，図２に示すテレビ録画装置内で実行される制御プログラムのうちの、チャンネル切換えにおける制御ルーチンのフローチャートである。
【図４】本発明のテレビ録画装置の第２実施形態の構成を示す図である。
【図５】図４に示すテレビ録画装置のブロック図である。
【図６】図４，図５に示すテレビ録画装置内で実行される制御プログラムのうちの、チャンネル切換えにおける制御ルーチンのフローチャートである。
【図７】本発明のテレビ受像装置の第１実施形態の構成を示す図である。
【図８】図７に示すテレビ受像装置のブロック図である。
【図９】本発明のテレビ受像装置の第２実施形態の構成を示す図である。
【図１０】図９に示すテレビ受像装置のブロック図である。
【発明を実施するための最良の形態】
【００４７】
以下、本発明の実施形態について説明する。【００４８】
図１は、本発明のテレビ録画装置の第１実施形態の構成を示す図、図２は、図１に示すテレビ録画装置のブロック図である。【００４９】
図１には、本発明のテレビ録画装置の第１実施形態であるテレビ録画装置１０と、テレビ画面１００ａを備えたテレビモニタ装置１００が示されている。【００５０】
テレビ録画装置１０には、図２に示すように、テレビ信号を受信するテレビ信号受信部１１（本発明にいう受信部の一例に相当）が備えられている。【００５１】
また、このテレビ録画装置１０には、テレビ信号受信部１１で受信したテレビ信号のうちの表示用チャンネルのテレビ信号を、テレビモニタ装置１００に向けて出力する表示信号出力部１２が備えられている。【００５２】
さらに、このテレビ録画装置１０には、テレビ信号受信部１１で受信したテレビ信号のうちの録画用チャンネルのテレビ信号を記録するハードディスク装置（ＨＤＤ）１３（本発明にいう録画部の一例に相当）が備えられている。【００５３】
また、このテレビ録画装置１０には、表示用チャンネルの指示を受けて、表示信号出力部１２に、指示を受けた表示用チャンネルのテレビ信号を出力させるとともに、録画用チャンネルの指示を受けて、ハードディスク装置１３に、指示を受けた録画用チャンネルのテレビ信号を記録させる制御部１４が備えられている。【００５４】
ここで、制御部１４では、制御プログラムが実行されることにより、以下の制御が行なわれる。すなわち、表示信号出力部１２から表示用チャンネルのテレビ信号が出力されている途中における、新たな表示用チャンネルへの変更の指示を受けて、その新たな表示用チャンネルへの変更の指示がその指示を受ける前のテレビ視聴者とは異なる新たなテレビ視聴者により行なわれた指示であったか否かを判定する。さらに、その新たな表示用チャンネルへの変更の指示がその指示を受ける前のテレビ視聴者とは異なる新たなテレビ視聴者により行なわれた指示であったと判定した場合に、表示信号出力部１２に、その新たな表示用チャンネルのテレビ信号を出力させるとともに、ハードディスク装置１３に、その新たな表示用チャンネルへの変更の指示を受ける前の表示用チャンネルのテレビ信号を記録させる。【００５５】
また、このテレビ録画装置１０には、赤外線センサを有する赤外線カメラ１５（本発明にいう検知部の一例に相当）と、その赤外線カメラ１５からの信号を入力するカメラ入力部１６が備えられている。【００５６】
ここで、上記制御部１４は、赤外線カメラ１５で検知された情報が新たな表示用チャンネルへの変更の指示の前後でテレビ視聴者の人数に増減があったことを示す情報であった場合に、その新たな表示用チャンネルへの変更の指示が、その指示を受ける前のテレビ視聴者とは異なる新たなテレビ視聴者により行なわれた指示であると判定する。【００５７】
また、テレビ録画装置１０には、このテレビ録画装置１０に対しテレビ視聴者の指示を入力するリモートコントローラ（リモコンと略記する）１７と、そのリモコン１７からの赤外線信号を入力する赤外線入力部１８が備えられている。【００５８】
本発明のテレビ録画装置の第１実施形態であるテレビ録画装置１０は、新たな表示用チャンネルへの変更の指示が、その指示を受ける前のテレビ視聴者とは異なる新たなテレビ視聴者により行なわれた指示であったと制御部１４で判定した場合、その制御部１４でその新たな表示用チャンネルのテレビ信号を出力させるとともに、その新たな表示用チャンネルへの変更の指示を受ける前の表示用チャンネルのテレビ信号をハードディスク装置１３に記録させるものである。このため、視聴チャンネルが、例えばチャンネルＡからチャンネルＢに切り換えられた場合、そのチャンネルＡで放送されている番組が録画されるようにそのチャンネルＡを予め設定しておく操作や、チャンネルＡで放送されている番組を所定時間以上視聴し続ける必要はなく、視聴チャンネルがチャンネルＢに切り換えられていることをもって、チャンネルＡで放送されている番組を録画することができる。従って、操作の手間を省いたまま、切り換えられる前のチャンネルで放送されている番組を確実に録画することができる。【００５９】
また、このテレビ録画装置１０には、赤外線カメラ１５が備えられているため、例えば父親がリビングルームで野球中継番組を視聴しているときに、そのリビングルームに子供が入ってきてドラマを視聴するために表示チャンネルを変更した場合、赤外線カメラ１５で赤外線を発している領域の面積が増加した旨が検知される。詳細には、この赤外線カメラ１５は、赤外線センサで視野の各点の赤外線の量を測定し、赤外線による画像を認識することにより、赤外線を発している領域の面積が増加した旨を検知する。これにより、新たな表示用チャンネルへの変更の指示が、その指示を受ける前の父親とは異なる新たなテレビ視聴者である子供により行なわれた指示であると判定される。従って、特別な操作を行なうこともなく、父親が視聴している野球中継番組を録画することができる。【００６０】
図３は、図１，図２に示すテレビ録画装置内で実行される制御プログラムのうちの、チャンネル切換えにおける制御ルーチンのフローチャートである。【００６１】
先ず、ステップＳ１において、テレビモニタ装置１００（ＴＶと略記する）を起動する。次に、ステップＳ２において、赤外線カメラ１５（カメラと略記する）でＴＶの前にいる人数を確認する。具体的には、赤外線センサで視聴者の人数に関する領域の面積（エリアサイズ）の増減による情報に基づいて、ＴＶの前にいる人数を確認する。【００６２】
さらに、ステップＳ３において、赤外線情報を制御部１４に備えられたメモリに保存する。その後、ステップＳ４において、番組視聴状態（待機状態）にする。【００６３】
ここで、ユーザアクション、即ち、視聴者がリモコン１７を操作する動作が行なわれる。すると、ステップＳ５において、チャンネル切換えの指示か否かが判定される。チャンネル切換えの指示でないと判定された場合は、ステップＳ６に進む。ステップＳ６では、指示されたアクションを実行してステップＳ４に戻る。【００６４】
一方、チャンネル切換えの指示であると判定された場合は、ステップＳ７に進む。ステップＳ７では、カメラでＴＶの前にいる人数を確認する（上記エリアサイズに基づいて確認する）。【００６５】
次に、ステップＳ８において、メモリに保存した赤外線情報（メモリ内のエリアと称する）とＴＶの前にいる人数を表わす情報（現在のエリアと称する）の大きさを比較する。ここで、メモリ内のエリアの増・減が小さいと判定された場合、即ち、視聴者の人数の増・減がないと判定された場合は、ステップＳ９に進む。ステップＳ９では、チャンネル切換動作を行なってステップＳ４に戻る。【００６６】
一方、メモリ内のエリアの増・減が大きいと判定された場合、即ち、視聴者の人数の増減があると判定された場合は、ステップＳ１０に進む。ステップＳ１０では、第１のチューナで現チャンネルの録画を開始する。次に、ステップＳ１１において、第１のチューナから第２のチューナに切り換えるというチャンネル切換えを行なう。さらに、ステップＳ１２において、現在のエリアを表わす赤外線情報をメモリに保存してステップＳ４に戻る。【００６７】
図４は、本発明のテレビ録画装置の第２実施形態の構成を示す図、図５は、図４に示すテレビ録画装置のブロック図である。【００６８】
尚、図１，図２に示すテレビ録画装置１０の構成要素と同じ構成要素には同一に符号を付し、異なる点について説明する。【００６９】
図４，図５に示すテレビ録画装置２０は、前述したテレビ録画装置１０と比較し、赤外線カメラ１５が削除されている点と、リモコン１７に代えて指紋センサ２７ａを備えたリモコン２７が備えられている点が異なっている。【００７０】
テレビ録画装置２０には、このテレビ録画装置２０に対しテレビ視聴者の指示を入力するリモコン２７が備えられている。このリモコン２７には、個人認証情報を入力する指紋センサ２７ａ（本発明にいう認証部の一例に相当）が備えられている。【００７１】
また、このテレビ録画装置２０に備えられた制御部２４は、新たな表示用チャンネルへの変更の指示が指紋センサ２７ａでその指示を受ける前に認証された個人とは異なる個人による指示であった場合に、その新たな表示用チャンネルへの変更の指示が、その指示を受ける前のテレビ視聴者とは異なる新たなテレビ視聴者により行なわれた指示であると判定する。【００７２】
さらに、この制御部２４は、指紋センサ２７ａによる個人認証情報の入力を受けた後の所定時間内のみ、表示用チャンネルの指示入力を受け付けるものである。【００７３】
本発明のテレビ録画装置の第２実施形態であるテレビ録画装置２０では、指紋センサ２７ａにより指先の指紋パターンを読み取り、読み取った指紋パターンと制御部２４に備えられたメモリに予め登録されている指紋パターンとが一致したと判定された場合に、リモコン２７へのアクセスを許可するということが行なわれる。【００７４】
また、指紋センサ２７ａは、視聴チャンネルの切換えを行なうためのリモコン２７に備えられているため、操作性が高められている。【００７５】
また、制御部２４では、制御プログラムが実行されることにより、以下の制御が行なわれる。すなわち、新たな表示用チャンネルの指示が指紋センサ２７ａでその指示を受ける前に認証された個人とは異なる個人による指示であった場合に、その新たな表示用チャンネルへの変更の指示が、その指示を受ける前のテレビ視聴者とは異なる新たなテレビ視聴者により行なわれた指示であると判定する。このため、新たな表示用チャンネルへの変更の指示が、その指示を受ける前のテレビ視聴者とは異なる新たなテレビ視聴者により行なわれた指示である旨の判定を精度よく行なうことができる。【００７６】
また、この制御部２４は、指紋センサ２７ａによる個人認証情報の入力を受けた後の所定時間内のみ、表示用チャンネルの指示を受け付けるものである。このため、所定時間経過後は、個人認証情報の入力を行なわないと表示用チャンネルの指示入力の受け付けが行なわれないようになっている。即ち、所定時間経過後は個人認証情報の入力が確実に行なわれる。従って、テレビ録画装置２０において、表示用チャンネルの指示入力の受け付けを行なったテレビ視聴者を確実に知ることができる。このようにすることにより、表示用チャンネルの指示入力の受け付けが行なわれた場合に、番組の録画を行なうか否かを正確に判定することができる。【００７７】
図６は、図４，図５に示すテレビ録画装置内で実行される制御プログラムのうちの、チャンネル切換えにおける制御ルーチンのフローチャートである。【００７８】
尚、制御ルーチンにおける処理として、図６に示すように、リモコン２７側の処理と、システム（制御部２４）側の処理との双方の処理がある。最初に、リモコン側の処理について説明する。【００７９】
先ず、ステップＳ２１において、リモコン２７を持ち上げる。次いで、ステップＳ２２において、第１のユーザ（例えば父親）の認証を行なう。さらに、ステップＳ２３において、認証データを制御部２４に備えられたメモリに格納する。【００８０】
次に、ステップＳ２４において、認証情報の確認を行なう。ここでは、前回のユーザアクションが５分以上行なわれなかったと判定された場合は、ステップＳ２５に進む。ステップＳ２５では、ユーザの認証を解除してステップＳ２４に戻る。一方、前回のユーザアクションが５分未満にあったと判定された場合や認証データが無かったと判定された場合は、ステップＳ２６に進む。【００８１】
ステップＳ２６では、リモコンコードの入力を確認する。リモコンコードの入力が無かったと判定された場合はステップＳ２４に戻る。一方、リモコンコードの入力があったと判定された場合はステップＳ２７に進む。【００８２】
ステップＳ２７では、チャンネル切換コードか否かが判定される。チャンネル切換コード以外のコードであると判定された場合はステップＳ２８に進む。ステップＳ２８では、ユーザ指定のアクションをシステムに通知して、ステップＳ２４に戻る。一方、チャンネル切換コードであると判定された場合は、ステップＳ２９に進む。【００８３】
ステップＳ２９では、認証情報の確認を行なう。認証情報が無かったと判定された場合は、ステップＳ３０に進む。ステップＳ３０では、第２のユーザ（例えば子供）の認証を行なって、ステップＳ３１に進む。一方、認証情報があったと判定された場合は、そのままステップＳ３１に進む。【００８４】
ステップＳ３１では、格納されている認証データと、今回の認証データとの比較を行なう。比較した結果、前回と同じ認証データ（ユーザ情報）であると判定された場合は、ステップＳ３２に進む。ステップＳ３２では、チャンネル切換えをシステムに通知してステップＳ２４に戻る。【００８５】
一方、前回と異なるユーザ情報であると判定された場合はステップＳ３３に進む。ステップＳ３３では、システムにユーザの切り替わりを通知して、ステップＳ３４に進む。ステップＳ３４では、チャンネル切換えをシステムに通知してステップＳ３５に進む。ステップＳ３５では、新しい認証データを格納してステップＳ２４に戻る。【００８６】
次に、システム側の処理について説明する。【００８７】
先ず、ステップＳ４１において、ＴＶを起動する。次に、ステップＳ４２において、番組視聴状態（リモコンからの情報待ち状態）にする。ここで、リモコンから情報が送信されると、ステップＳ４３において、リモコンからの情報（データ）を取得する。【００８８】
次に、ステップＳ４４において、認証情報の変更があるか否かが判定される。判定にあたっては、前述したステップＳ３２，ステップＳ３３，ステップＳ３４で実行されるシステムの通知により行なう。ここで、認証情報の変更がないと判定された場合は、ステップＳ４５に進む。ステップＳ４５では、指定されたアクションを実行してステップＳ４２に戻る。一方、認証情報の変更があると判定された場合は、ステップＳ４６に進む。ステップＳ４６では、第１のチューナで現チャンネルの録画を開始する。次に、ステップＳ４７において、第１のチューナから第２のチューナに切り換えるというチャンネル切換えを行なって、ステップＳ４２に戻る。【００８９】
図７は、本発明のテレビ受像装置の第１実施形態の構成を示す図、図８は、図７に示すテレビ受像装置のブロック図である。【００９０】
図７には、本発明のテレビ受像装置の第１実施形態であるテレビ受像装置３０と、録画装置２００が示されている。【００９１】
テレビ受像装置３０には、図８に示すように、テレビ信号を受信するテレビ信号受信部３１（本発明にいう受信部の一例に相当）が備えられている。【００９２】
また、このテレビ受像装置３０には、テレビ信号受信部３１で受信したテレビ信号のうちの表示用チャンネルのテレビ信号に基づく画像を出力する、図７にも示すテレビモニタ３２が備えられている。【００９３】
さらに、このテレビ受像装置３０には、テレビ信号を記録する記録装置２００に向けて、テレビ信号受信部３１で受信したテレビ信号のうちの録画用チャンネルのテレビ信号を出力する録画信号出力部３３が備えられている。【００９４】
また、このテレビ受像装置３０には、表示用チャンネルの指示を受けて、テレビモニタ３２に、指示を受けた表示用チャンネルのテレビ信号に基づく画像を出力させるとともに、録画用チャンネルの指示を受けて、録画信号出力部３３に、指示を受けた録画用チャンネルのテレビ信号を出力させる制御部３４が備えられている。【００９５】
ここで、制御部３４では、制御プログラムが実行されることにより、以下の制御が行なわれる。すなわち、テレビモニタ３２から表示用チャンネルのテレビ信号に基づく画像が出力されている途中における、新たな表示用チャンネルへの変更の指示を受けて、その新たな表示用チャンネルへの変更の指示がその指示を受ける前のテレビ視聴者とは異なる新たなテレビ視聴者により行なわれた指示であったか否かを判定する。さらに、その新たな表示用チャンネルへの変更の指示がその指示を受ける前のテレビ視聴者とは異なる新たなテレビ視聴者により行なわれた指示であったと判定した場合に、テレビモニタ３２に、その新たな表示用チャンネルのテレビ信号に基づく画像を出力させるとともに、録画信号出力部３３に、その新たな表示用チャンネルへの変更の指示を受ける前の表示用チャンネルのテレビ信号を出力させる。【００９６】
また、このテレビ受像装置３０には、赤外線センサを有する赤外線カメラ３５（本発明にいう検知部の一例に相当）と、その赤外線カメラ３５からの信号を入力するカメラ入力部３６が備えられている。【００９７】
ここで、上記制御部３４は、赤外線カメラ３５で検知された情報が新たな表示用チャンネルへの変更の指示の前後でテレビ視聴者の人数に増減があったことを示す情報であった場合に、その新たな表示用チャンネルへの変更の指示が、その指示を受ける前のテレビ視聴者とは異なる新たなテレビ視聴者により行なわれた指示であると判定する。【００９８】
また、テレビ受像装置３０には、このテレビ受像装置３０に対しテレビ視聴者の指示を入力するリモコン３７と、そのリモコン３７からの赤外線信号を入力する赤外線入力部３８が備えられている。【００９９】
本発明のテレビ受像装置の第１実施形態であるテレビ受像装置３０は、新たな表示用チャンネルへの変更の指示が、その指示を受ける前のテレビ視聴者とは異なる新たなテレビ視聴者により行なわれた指示であったと制御部３４で判定した場合に、テレビモニタ３２に、その新たな表示用チャンネルのテレビ信号に基づく画像を出力させるとともに、その新たな表示用チャンネルへの変更の指示を受ける前の表示用チャンネルのテレビ信号を録画信号出力部３３に出力させるものである。このため、視聴チャンネルが、例えばチャンネルＡからチャンネルＢに切り換えられた場合、そのチャンネルＡで放送されている番組が録画されるようにそのチャンネルＡを予め設定しておく操作や、チャンネルＡで放送されている番組を所定時間以上視聴し続ける必要はなく、視聴チャンネルがチャンネルＢに切り換えられていることをもって、チャンネルＡで放送されている番組を録画装置２００に録画することができる。従って、操作の手間を省いたまま、切り換えられる前のチャンネルで放送されている番組を確実に録画することができる。【０１００】
また、このテレビ受像装置３０には、赤外線カメラ３５が備えられているため、例えば父親がリビングルームで野球中継番組を視聴しているときに、そのリビングルームに子供が入ってきてドラマを視聴するために表示チャンネルを変更した場合、赤外線カメラ１５で赤外線を発している領域の面積が増加した旨が検知され、これにより新たな表示用チャンネルへの変更の指示が、その指示を受ける前の父親とは異なる新たなテレビ視聴者である子供により行なわれた指示であると判定される。従って、特別な操作を行なうこともなく、父親が視聴している野球中継番組を録画することができる。【０１０１】
図９は、本発明のテレビ受像装置の第２実施形態の構成を示す図、図１０は、図９に示すテレビ受像装置のブロック図である。【０１０２】
尚、図７，図８に示すテレビ受像装置３０の構成要素と同じ構成要素には同一に符号を付し、異なる点について説明する。【０１０３】
図９，図１０に示すテレビ受像装置４０は、前述したテレビ受像装置３０と比較し、赤外線カメラ３５が削除されている点と、リモコン３７に代えて指紋センサ４７ａを備えたリモコン４７が備えられている点が異なっている。【０１０４】
テレビ受像装置４０には、このテレビ受像装置４０に対しテレビ視聴者の指示を入力するリモコン４７が備えられている。このリモコン４７には、個人認証情報を入力する指紋センサ４７ａ（本発明にいう認証部の一例に相当）が備えられている。【０１０５】
また、このテレビ受像装置４０に備えられた制御部４４では、制御プログラムが実行されることにより、以下の制御が行なわれる。すなわち、新たな表示用チャンネルへの変更の指示が指紋センサ４７ａでその指示を受ける前に認証された個人とは異なる個人による指示であった場合に、その新たな表示用チャンネルへの変更の指示が、その指示を受ける前のテレビ視聴者とは異なる新たなテレビ視聴者により行なわれた指示であると判定する。【０１０６】
本発明のテレビ受像装置の第２実施形態であるテレビ受像装置４０では、指紋センサ４７ａで指先の指紋パターンを読み取ることで個人認証情報を入力することができる。従って、個人認証情報を確実に入力することができる。また、この指紋センサ４７ａは、視聴チャンネルの切換えを行なうためのリモコン４７に備えられているため、操作性が高められている。【０１０７】
また、制御部４４は、新たな表示用チャンネルの指示が指紋センサ４７ａでその指示を受ける前に認証された個人とは異なる個人による指示であった場合に、その新たな表示用チャンネルへの変更の指示が、その指示を受ける前のテレビ視聴者とは異なる新たなテレビ視聴者により行なわれた指示であると判定する。このため、新たな表示用チャンネルへの変更の指示が、その指示を受ける前のテレビ視聴者とは異なる新たなテレビ視聴者により行なわれた指示である旨の判定を精度よく行なうことができる。
【図１】
2008072353.tif 000003
【図２】
2008072353.tif 000004
【図３】
2008072353.tif 000005
【図４】
2008072353.tif 000006
【図５】
2008072353.tif 000007
【図６】
2008072353.tif 000008
【図７】
2008072353.tif 000009
【図８】
2008072353.tif 000010
【図９】
2008072353.tif 000011
【図１０】
2008072353.tif 000012
【手続補正書】
【提出日】平成21年5月28日(2009.5.28)
【手続補正１】
【補正対象書類名】特許請求の範囲
【補正対象項目名】全文
【補正方法】変更
【補正の内容】
【特許請求の範囲】
【請求項１】
テレビ信号を受信する受信部と、
前記受信部で受信したテレビ信号のうちの表示用チャンネルのテレビ信号を、テレビ画面を備えたテレビモニタ装置に向けて出力する表示信号出力部と、
前記受信部で受信したテレビ信号のうちの録画用チャンネルのテレビ信号を記録する録画部と、
表示用チャンネルの指示を受けて、前記表示信号出力部に、指示を受けた表示用チャンネルのテレビ信号を出力させるとともに、録画用チャンネルの指示を受けて、前記録画部に、指示を受けた録画用チャンネルのテレビ信号を記録させる制御部とを備え、
前記制御部が、前記表示信号出力部から表示用チャンネルのテレビ信号が出力されている途中における、新たな表示用チャンネルへの変更の指示を受けて、該新たな表示用チャンネルへの変更の指示が該指示を受ける前のテレビ視聴者とは異なる新たなテレビ視聴者により行なわれた指示であったか否かを判定し、該新たな表示用チャンネルへの変更の指示が該指示を受ける前のテレビ視聴者とは異なる新たなテレビ視聴者により行なわれた指示であったと判定した場合に、前記表示信号出力部に、該新たな表示用チャンネルのテレビ信号を出力させるとともに、前記録画部に、該新たな表示用チャンネルへの変更の指示を受ける前の表示用チャンネルのテレビ信号を記録させるものであることを特徴とするテレビ録画装置。
【請求項２】
テレビ視聴者の人数に相関のある情報を検知する検知部を備え、
前記制御部は、前記検知部で検知された情報が新たな表示用チャンネルへの変更の指示の前後でテレビ視聴者の人数に増減があったことを示す情報であった場合に、該新たな表示用チャンネルへの変更の指示が、該指示を受ける前のテレビ視聴者とは異なる新たなテレビ視聴者により行なわれた指示であると判定するものであることを特徴とする請求項１記載のテレビ録画装置。
【請求項３】
前記検知部が、テレビ視聴者の人数に相関のある情報を検知する赤外線センサを備えたものであることを特徴とする請求項２記載のテレビ録画装置。
【請求項４】
個人認証情報の入力操作を受ける認証部を備え、
前記制御部は、新たな表示用チャンネルへの変更の指示が前記認証部で該指示を受ける前に認証された個人とは異なる個人による指示であった場合に、該新たな表示用チャンネルへの変更の指示が、該指示を受ける前のテレビ視聴者とは異なる新たなテレビ視聴者により行なわれた指示であると判定するものであることを特徴とする請求項１記載のテレビ録画装置。
【請求項５】
当該テレビ録画装置に対しテレビ視聴者の指示を入力するリモートコントローラを備え、前記認証部が前記リモートコントローラに備えられたものであることを特徴とする請求項４記載のテレビ録画装置。
【請求項６】
前記認証部は、個人認証情報を入力する指紋センサを備えたものであることを特徴とする請求項４又は５記載のテレビ録画装置。
【請求項７】
前記制御部は、前記認証部による個人認証情報の入力を受けた後の所定時間内のみ、表示用チャンネルの指示入力を受け付けるものであることを特徴とする請求項４又は５記載のテレビ録画装置。
【請求項８】
テレビ信号を受信する受信部と、
前記受信部で受信したテレビ信号のうちの表示用チャンネルのテレビ信号に基づく画像を出力するテレビモニタと、
テレビ信号を記録する録画装置に向けて、前記受信部で受信したテレビ信号のうちの録画用チャンネルのテレビ信号を出力する録画信号出力部と、
表示用チャンネルの指示を受けて、前記テレビモニタに、指示を受けた表示用チャンネルのテレビ信号に基づく画像を出力させるとともに、録画用チャンネルの指示を受けて、前記録画信号出力部に、指示を受けた録画用チャンネルのテレビ信号を出力させる制御部とを備え、
前記制御部が、前記テレビモニタから表示用チャンネルのテレビ信号に基づく画像が出力されている途中における、新たな表示用チャンネルへの変更の指示を受けて、該新たな表示用チャンネルへの変更の指示が該指示を受ける前のテレビ視聴者とは異なる新たなテレビ視聴者により行なわれた指示であったか否かを判定し、該新たな表示用チャンネルへの変更の指示が該指示を受ける前のテレビ視聴者とは異なる新たなテレビ視聴者により行なわれた指示であったと判定した場合に、前記テレビモニタに、該新たな表示用チャンネルのテレビ信号に基づく画像を出力させるとともに、前記録画信号出力部に、該新たな表示用チャンネルへの変更の指示を受ける前の表示用チャンネルのテレビ信号を出力させるものであることを特徴とするテレビ受像装置。
【請求項９】
テレビ視聴者の人数に相関のある情報を検知する検知部を備え、
前記制御部は、前記検知部で検知された情報が新たな表示用チャンネルへの変更の指示の前後でテレビ視聴者の人数に増減があったことを示す情報であった場合に、該新たな表示用チャンネルへの変更の指示が、該指示を受ける前のテレビ視聴者とは異なる新たなテレビ視聴者により行なわれた指示であると判定するものであることを特徴とする請求項８記載のテレビ受像装置。
【請求項１０】
個人認証情報の入力操作を受ける認証部を備え、
前記制御部は、新たな表示用チャンネルの指示が前記認証部で該指示を受ける前に認証された個人とは異なる個人による指示であった場合に、該新たな表示用チャンネルへの変更の指示が、該指示を受ける前のテレビ視聴者とは異なる新たなテレビ視聴者により行なわれた指示であると判定するものであることを特徴とする請求項８記載のテレビ受像装置。
【請求項１１】
テレビ信号を受信する受信部と、前記受信部で受信したテレビ信号のうちの表示用チャンネルのテレビ信号を、テレビ画面を備えたテレビモニタ装置に向けて出力する表示信号出力部と、前記受信部で受信したテレビ信号のうちの録画用チャンネルのテレビ信号を記録する録画部とを備えたテレビ録画装置内で実行され、該テレビ録画装置を、表示用チャンネルの指示を受けて、前記表示信号出力部に、指示を受けた表示用チャンネルのテレビ信号を出力させるとともに、録画用チャンネルの指示を受けて、前記録画部に、指示を受けた録画用チャンネルのテレビ信号を記録させるテレビ録画装置として動作させる制御プログラムであって、
前記テレビ録画装置を、前記表示信号出力部から表示用チャンネルのテレビ信号が出力されている途中における、新たな表示用チャンネルへの変更の指示を受けて、該新たな表示用チャンネルへの変更の指示が該指示を受ける前のテレビ視聴者とは異なる新たなテレビ視聴者により行なわれた指示であったか否かを判定し、該新たな表示用チャンネルへの変更の指示が該指示を受ける前のテレビ視聴者とは異なる新たなテレビ視聴者により行なわれた指示であったと判定した場合に、前記表示信号出力部に、該新たな表示用チャンネルのテレビ信号を出力させるとともに、前記録画部に、該新たな表示用チャンネルへの変更の指示を受ける前の表示用チャンネルのテレビ信号を記録させるテレビ録画装置として動作させることを特徴とする制御プログラム。
【請求項１２】
テレビ信号を受信する受信部と、前記受信部で受信したテレビ信号のうちの表示用チャンネルのテレビ信号に基づく画像を出力するテレビモニタと、テレビ信号を記録する録画装置に向けて、前記受信部で受信したテレビ信号のうちの録画用チャンネルのテレビ信号を出力する録画信号出力部とを備えたテレビ受像装置内で実行され、該テレビ受像装置を、表示用チャンネルの指示を受けて、前記テレビモニタに、指示を受けた表示用チャンネルのテレビ信号に基づく画像を出力させるとともに、録画用チャンネルの指示を受けて、前記録画信号出力部に、指示を受けた録画用チャンネルのテレビ信号を出力させるテレビ受像装置として動作させる制御プログラムであって、
前記テレビ受像装置を、前記テレビモニタから表示用チャンネルのテレビ信号に基づく画像が出力されている途中における、新たな表示用チャンネルへの変更の指示を受けて、該新たな表示用チャンネルへの変更の指示が該指示を受ける前のテレビ視聴者とは異なる新たなテレビ視聴者により行なわれた指示であったか否かを判定し、該新たな表示用チャンネルへの変更の指示が該指示を受ける前のテレビ視聴者とは異なる新たなテレビ視聴者により行なわれた指示であったと判定した場合に、前記テレビモニタに、該新たな表示用チャンネルのテレビ信号に基づく画像を出力させるとともに、前記録画信号出力部に、該新たな表示用チャンネルへの変更の指示を受ける前の表示用チャンネルのテレビ信号を出力させるテレビ受像装置として動作させることを特徴とする制御プログラム。
【国際調査報告】
2008072353.tif 000013
2008072353.tif 000014
2008072353.tif 000015
2008072353.tif 000016